(57)【特許請求の範囲】
【請求項１】
基材の上面が金属板によって被覆されたカウンタートップにドロップインコンロを収容するための開口を設け、前記開口内に収容したドロップインコンロを前記開口周縁により支持するものにおいて、前記金属板の開口周縁の全域を前記基材の開口周縁部から浮き上った浮陸部とし、前記ドロップインコンロの周縁を前記浮陸部の頂面により支持し、且つ前記浮陸部の内周側にはスカート部が連設され、前記スカート部と前記基材の開口周縁との間には下方に開放し且前記浮陸部内に連通する間隙が形成されているドロップインコンロの支持構造。
【請求項２】
基材の上面が金属板によって被覆されたカウンタートップにドロップインコンロを収容するための開口を設け、前記開口内に収容したドロップインコンロを前記開口周縁により支持するものにおいて、前記金属板の開口周縁の全域を前記基材の開口周縁部から浮き上った浮陸部とし、前記ドロップインコンロの周縁を前記浮陸部の頂面により支持し、且つ前記浮陸部の頂面の内周側が基板によって部分的に又は全域的に支持されているドロップインコンロの支持構造。
【請求項３】
前記浮陸部の下方の空間が前記開口内に開放する構成であって、本体ケースの胴部と浮陸部との間に間隙がある請求項２に記載のドロップインコンロの支持構造。
【発明の詳細な説明】
【０００１】
【発明の属する技術分野】
この発明はカウンタートップの開口周縁によってドロップインコンロを支持する構造に関するものである。
【０００２】
【従来の技術】
所謂ドロップインコンロは、その本体ケースがカウンタートップに設けた開口内に収容されて、前記本体ケースの上端部分が前記開口周縁によって支持される。従って、前記ドロップインコンロのトッププレート部分がカウンタートップの上面に突出するだけとなって台所の外観がすっきりしたものとなると共にカウンタートップの上面からの突出高さが低くなり、使い易い。
【０００３】
前記カウンタートップとしては、人工大理石製、木質基材の表面に耐熱表面処理を施したもの、或は、木質基材等の表面を金属板によって被覆したもの等が採用される。前記基材等の耐熱製が不十分であることから、ドロップインコンロ使用中の熱がトッププレートから前記基材等に伝導されると、カウンタートップ表面の前記開口周縁が熱的損傷を受けたり変色したりする。
【０００４】
このような不都合を防止すると共に、カウンタートップ上面の煮汁や水気がドロップインコンロ内に侵入する不都合を防止するため、従来のもの（実開平６−４５０７号公報参照）では、ドロップインコンロの本体ケースがカウンタートップの開口との関係で位置決めされた状態に収容され、この本体ケースに外嵌するように設けられたトッププレートの周縁がパッキングを介して前記カウンタートップの開口周縁によって支持される構成となっている。前記パッキングがトッププレートとカウンタートップとの水密を確保すると共に断熱効果を発揮して前記不都合が解消される。
【０００５】
【発明が解決しようとする課題】
ところが、このものでは、トッププレートの周縁にパッキングを装着する必要があることから、ドロップインコンロの設置作業が面倒であると共に、前記パッキングが損傷した場合には、前記断熱効果が損なわれる。
本発明は、前記した種々のカウンタートップの内、基材の上面が金属板によって被覆されたカウンタートップの開口内にドロップインコンロを収容した状態に支持するものにおいて、前記パッキングを用いることなく、前記開口内への煮汁や水等の侵入が防止できると共に前記基材との断熱が確保できるようにすることをその課題とする。
【０００６】
【課題を解決するための手段】
前述した課題を解決するために講じた技術的手段は『基材の上面が金属板によって被覆されたカウンタートップにドロップインコンロを収容するための開口を設け、前記開口内に収容したドロップインコンロを前記開口周縁により支持するものにおいて、前記金属板の開口周縁の全域を前記基材の開口周縁部から浮き上った浮陸部とし、前記ドロップインコンロの周縁を前記浮陸部の頂面により支持し、且つ前記浮陸部の内周側にはスカート部が連設され、前記スカート部と前記基材の開口周縁との間には下方に開放し且前記浮陸部内に連通する間隙が形成されている』ことである。
また、前述した課題を解決するために講じた技術的手段は『基材の上面が金属板によって被覆されたカウンタートップにドロップインコンロを収容するための開口を設け、前記開口内に収容したドロップインコンロを前記開口周縁により支持するものにおいて、前記金属板の開口周縁の全域を前記基材の開口周縁部から浮き上った浮陸部とし、前記ドロップインコンロの周縁を前記浮陸部の頂面により支持し、且つ前記浮陸部の頂面の内周側が基板によって部分的に又は全域的に支持されている』ことである。
上記解決手段はつぎのように作用する。
【０００７】
ドロップインコンロの本体ケースは、カウンタートップに形成された開口の周縁にて隆起する浮陸部によって支持され、トッププレートの周縁は前記本体ケースとの嵌合によって位置決めされている。ドロップインコンロ内で生じた熱の一部はトッププレート周縁部に達するが、この周縁部は前記浮陸部によって直接又は間接的に支持され、前記トッププレート周縁部は、金属板と基材とが密着した部分（前記浮陸部の外周）では接触しない。前記浮陸部は基材から金属板が浮き上がった部分であるから、前記基材と金属板との間には所定の空間があり、この空間の空気層による断熱作用により前記トッププレート周縁部の熱が前記浮陸部の下方の基材への熱移動が防止できる。また、カウンタートップに集まった煮汁や水等は、前記浮陸部によって内周側の開口への侵入が防止できる。
また、前記浮陸部の構成が、内周側にはスカート部が連設され、前記スカート部と前記基材の開口周縁との間には下方に開放し且前記浮陸部内に連通する間隙が形成されているものでは、前記間隙を介して浮陸部内の空間が前記開口内の下方の空間と連通しているから、前記浮陸部内の空気が外部との間で循環するから、浮陸部内の空気の温度が上昇しにくく、前記断熱効果が促進されると共に、金属板の開口周縁に板材の端縁が露出しないから安全であり、基材の開口周壁部の保護が図れる。
さらに、前記浮陸部の頂面の内周側又は前記スカート部が基板によって部分的に又は全域的に支持されているものでは、浮陸部断面の外周側と内周側とが共に基板によって支持されるから、ドロップインコンロの支持強度が向上する。
【０００８】
【発明の効果】
本発明は、上記構成であるから次の特有の効果を有する。
金属板の浮陸部によって開口内への煮汁や水等の侵入が防止できると共に、浮陸部の空気断熱作用によってトッププレートから基材への熱移動が防止できるから、前記熱移動による基板への熱的影響を少なくするためのドロップインコンロの支持構造が簡素化される。
【０００９】
［その他］
尚、「前記浮陸部の下方の空間が前記開口内に開放する構成であって、本体ケースの胴部と浮陸部との間に間隙があるもの」とすれば前記浮陸部内の空気が外部と循環し易いから、前記浮陸部内の空気の温度が上昇しにくい。
【００１２】
【発明の実施の形態】
以下、本明の実施の形態を、図示例と共に説明する。
この例のドロップインコンロは、図１、図２に示すように、本体ケース(2) 内にバーナ(4) (4) 、これの燃焼制御装置等を具備する点では、従来のものと同様である。
【００１３】
この例では、前記本体ケース(2) は、上方に開放する扁平な箱体でカウンタートップ(C) に形成した開口(11)内に収容され、上端のフランジ部(21)が前記開口(11)の周縁に係止されて吊り下げ状態に支持されている。また前記本体ケース(2) の開放部は、これに被冠するトッププレート(3) によって閉塞され、このトッププレート(3) に設けた孔部(30)からバーナ(4) のバーナトップ(41)が上方に突出する。
【００１４】
前記トッププレート(3) の上面には五徳(5) が載置されており、前記各バーナトップ(41)に対応する態様で爪(51)(51)が配置されている。前記爪(51)(51)は五徳(5) の枠体(50)から突出するように連設一体化されている。
前記カウンタートップ(C) は、木製の基材(10)とその上面を被覆する金属板(1) としてのステンレス鋼板とからなり、前記開口(11)の周縁部には、その全域に亙って浮陸部(12)が連続的に形成されている。従って、この例では、前記浮陸部(12)の平面形状は全体としては矩形のループ状となっており、前記本体ケース(2) の平面形状の輪郭と略相似の形状で、上記フランジ部(21)の平面形状と略一致する。
【００１５】
前記本体ケース(2) の胴部には、開口(11)における基材(10)の端面(101) との間に圧入状態に挿入される板バネ製の位置決め片(22)(22)が設けられている。前記位置決め片(22)は矩形の開口(11)の各辺の前記端面(101) と前記胴部との間に介在されるから、これによって、開口(11)に対して本体ケース(2) が正確に位置決めされる。
【００１６】
前記本体ケース(2) の胴部上端から外方へ張り出すフランジ部(21)の周縁には上方に屈曲する係止片(23)が連設されている。この係止片(23)は、前記フランジ部(21)のコーナ部の夫々に形成される態様で形成されるか、又は、全体として矩形のフランジ部(21)の各辺から部分的に又は全域的に突出する態様で形成される。
【００１７】
他方のトッププレート(3) の周縁部は全周に亙って垂下壁(31)となっており、前記トッププレート(3) は、前記垂下壁(31)の下端部が前記係止片(23)(23)に外嵌する態様で、本体ケース(2) に被冠されている。前記外嵌により本体ケース(2) とトッププレート(3) との関係が位置決めされている。
なお、前記垂下壁(31)には、図２に詳細に示すように、内側に突出する舌片(32)が設けられており、トッププレート(3) を本体ケース(2) に被冠した前記態様では、この舌片(32)が前記係止片(23)の外面側に当接している。また、トッププレート(3) の平面形状の輪郭を浮陸部(12)の全体の平面形状の外周縁に略一致させてあり、前記垂下壁(31)は、前記浮陸部(12)の頂面部の外周縁の上方に位置し、係止片(23)と舌片(32)との境界部は、前記浮陸部(12)の頂面部の中程に位置する。
【００１８】
なお、舌片(32)は垂下壁(31)の下端から内方へ全周に亙って形成してもよいが、各辺に部分的に形成してもよく、また、前記垂下壁(31)と前記舌片(32)が一体に形成されても別体のものが溶接に等によって固着一体化されたものであってもよい。
この例では、前記金属板(1) としてのステンレス鋼板の開口周縁の輪郭、つまり、浮陸部(12)の内周側の輪郭は、基材(10)の開口の大きさよりも全域的に一定寸法小さく設定されている。そして、前記浮陸部(12)の内周縁から垂下するスカート部(13)と前記基材(10)の開口の端面(101) との間には全域に亙って一定の間隙(14)が生じている。
【００１９】
従って、前記浮陸部(12)の下方に生じる矩形断面の空室(K) は前記間隙(14)を介して開口(11)内の空間部に連通している。一方、前記スカート部(13)は基材(10)の開口(11)の端面(101) の大部分を全周にわたって被覆し、前記端面(101) を保護している。
上記構成のドロップインコンロの支持構造では、垂下壁(31)の下端部には、従来のようなパッキングがないが、バーナ(4) からの熱の一部がトッププレート(3) に伝達されて、その一部が垂下壁(31)に伝導されたとしても、この垂下壁(31)から基材(10)への熱移動は、前記空室(K) の空気断熱作用によって阻止されるから、基材(10)の熱的損傷は防止される。また、空室(K) があることから、浮陸部(12)を構成する金属板(1) も空冷され易い。
【００２０】
浮陸部(12)があることから、パッキングを用いなくても、カウンタートップ(C) の上面に残る煮汁や水分が浮陸部(12)を乗り越えて開口(11)内に侵入しにくいから、開口(11)の下方及び本体ケース(2) の胴部の汚れが防止できる。
なお、この例では、トッププレート(3) と本体ケース(2) とは、舌片(32)と係止片(23)とが浮陸部(12)の上面で嵌合する態様で位置決めされたが、図３に示すように、前記舌片(32)を延長させてその先端にフランジ部(21)の内周縁部に嵌入係合する係合舌片(33)を設けてもよい。この場合には、フランジ部(21)と舌片(32)とが重なりあった状態で浮陸部(12)によって支持されることとなる。また、トッププレート(3) の構成としては、同図に示すように、汁受け皿(35)が取り外し可能に装着されるものであってもよい。
【００２１】
又、図４に示すように、前記係合舌片(33)は、舌片(32)の上面にスポット溶接等の方法により部分的に取付けられる延長片(34)の先端に形成される形式であってもよい。このものでは、舌片(32)の下面とフランジ部(21)とが共に浮陸部(12)の頂面部に接触する。従って、垂下壁(31)と浮陸部(12)の頂面部との間に隙間が生じにくく、水等が侵入しにくい。
【００２２】
なお、この図４の例では、本体ケース(2) に設けた位置決め片(22)の自由端部が浮陸部(12)のスカート部(13)に接触することにより、本体ケース(2) が位置決めされている。
さらに、図５に示すように、スカート部(13)が連設されない浮陸部(12)であってもよい。この図５のものでは、浮陸部(12)の頂面の内周縁から下方の空室(K) が本体ケース(2) と基板(10)の端面(101) との間の空間にそのまま開放しているから、前記空室(K) 内の空気循環作用は損なわれない。
【００２３】
上記実施の形態は、図６、図７に示すように変更することができる。
このものは、カウンタートップ(C) の開口(11)の周縁から一定幅の範囲が全周に亙って前記カウンタートップ(C) の表面より凹んだ環状段部(S) としてあり、この環状段部(S) を有するように前記基板(10)の開口周縁が仕上げられると共にこの表面に沿わせて金属板(1) としてのステンレス鋼が被覆され、この金属板(1) の開口周縁に既述の実施の形態と同様に浮陸部(12)が形成され、この浮陸部(12)の内周に連設されるスカート部(13)の中程に段部(311) が形成され、この段部(131) が基板の開口周縁に当接しており、前記スカート部(13)の前記段部(131) よりも下方域が、前記端面(101) の上部を被覆している。また、前記浮陸部(12)の頂面内周側と前記スカート部(13)に跨がる、部換気用孔部(121) を複数設けている。
【００２４】
このものでは、浮陸部(12)の頂面の内周側が、前記スカート部(13)の前記段部(131) よりも上方域を介して基板によって支持されるから、浮陸部(12)の支持強度が上記従来のものよりも高くなる。この点では、前記換気用孔部(121) は必須ではない。
この例のように、前記浮陸部(12)の頂面内周側と前記スカート部(13)に跨がる、換気用孔部(121) を複数設けた場合には、空室(K) 内の空気循環が促進されることとなる。浮陸部(12)によりドロップインコンロを支持した場合の断熱効果が前記換気用孔部(121) を具備しないものに比べて向上する。
【００２５】
また、この図６、図７に示す実施の形態では、トッププレート(3) の頂面がカウンタートップ(C) の上面と略一致するものとなるから、ドロップインコンロの上面がカウンタートップ(C) の上面と大略一様な平面上に位置するから、全体としてフラット感があるものとなる。そして、煮こぼれ等の水気の開口内への侵入は、環状の前記浮陸部(12)、つまり、ループ状隆起部によって遮断される。
【図面の簡単な説明】
【図１】本発明の実施の形態の断面図
【図２】その浮陸部(12)による支持構造の拡大断面図
【図３】浮陸部(12)による支持構造の他の例の拡大断面図
【図４】浮陸部(12)による支持構造のもう１つの例の拡大断面図
【図５】スカート部(13)を具備しない浮陸部(12)による支持構造の例の説明図
【図６】スカート部(13)の中程を基板(10)の開口周縁によって支持する例の説明図
【図７】前記例のスカート部(13)の部分の要部の斜視図
【符号の説明】
(1) ：金属板
(10)：基板
(11)：開口
(3) ：トッププレート
(12)：浮陸部
(31)：垂下壁
(13)：スカート部
(C) ：カウンタートップ
(2) ：本体ケース
(21)：フランジ部
（尚、各図中同一符号は同一又は相当部分を示す。）
【図１】
0003699240.tif 000002
【図２】
0003699240.tif 000003
【図３】
0003699240.tif 000004
【図４】
0003699240.tif 000005
【図５】
0003699240.tif 000006
【図６】
0003699240.tif 000007
【図７】
0003699240.tif 000008